【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
回転駆動される像担持体に検出パターンを形成する形成手段と、
前記検出パターンを検出する検出手段と、
前記検出手段による前記検出パターンの検出結果に基づき色ずれ補正制御を行う制御手段と、
を備えており、
前記検出パターンは、前記像担持体の回転方向である副走査方向に沿って第１間隔で配置された複数の基本パターンを含み、
前記複数の基本パターンのそれぞれは、前記副走査方向に沿って第２間隔で配置されたＮ個の画像群（Ｎは３以上の整数）を含み、
前記Ｎ個の画像群は、前記副走査方向に対して第１角度の画像を含む第１画像群と、前記副走査方向に対して前記第１角度とは異なる第２角度の画像を含む第２画像群と、を前記副走査方向に沿って交互に配置したものであり、
前記第１間隔は、前記形成手段に含まれる回転部材の回転周期に対応する第１周期のＭ（Ｍは２以上の整数）倍の期間に前記像担持体の表面が移動する距離に対応し、
前記第２間隔は、前記第１周期の（Ｎ−１）分の１の期間に前記像担持体の表面が移動する距離に対応することを特徴とする画像形成装置。
【請求項２】
前記形成手段は、感光体にトナー像を形成し、前記感光体のトナー像を前記像担持体に転写することで、前記像担持体に前記検出パターンを形成し、
前記回転部材は、前記感光体又は前記感光体を駆動するモータであることを特徴とする請求項１に記載の画像形成装置。
【請求項３】
前記Ｍの値は、前記像担持体の周長を正の整数で除した値と、前記第１周期の期間に前記像担持体の表面が移動する距離との比較により決定されることを特徴とする請求項１又は２に記載の画像形成装置。
【請求項４】
前記複数の基本パターンの数は、前記Ｍの値を求めた際の前記像担持体の周長の除数に基づき決定されることを特徴とする請求項１から３のいずれか１項に記載の画像形成装置。
【請求項５】
前記制御手段は、前記複数の基本パターンの各基本パターンの隣接する前記第１画像群と前記第２画像群の（Ｎ−１）個の組それぞれについて、前記検出手段による前記第１画像群と前記第２画像群の検出結果に基づく色ずれ量を求め、前記複数の基本パターンそれぞれの（Ｎ−１）個の組の色ずれ量を平均化した値に基づき前記色ずれ補正制御を行うことを特徴とする請求項１から４のいずれか１項に記載の画像形成装置。
【請求項６】
前記第１画像群は、複数の色それぞれについて、前記第１角度の線状のトナー像を含み、
前記第２画像群は、前記複数の色それぞれについて、前記第２角度の線状のトナー像を含むことを特徴とする請求項１から５のいずれか１項に記載の画像形成装置。
【請求項７】
前記第１画像群と前記第２画像群は、前記副走査方向に対して線対称であることを特徴とする請求項１から６のいずれか１項に記載の画像形成装置。
【請求項８】
前記第１角度は９０度であることを特徴とする請求項１から６のいずれか１項に記載の画像形成装置。
【請求項９】
前記複数の基本パターンのうちの前記副走査方向において隣接する２つの基本パターンの前側の基本パターンの最初の画像群が前記第１画像群であると、後側の基本パターンの最初の画像群は前記第２画像群であり、
前記複数の基本パターンのうちの前記副走査方向において隣接する２つの基本パターンの前側の基本パターンの最初の画像群が前記第２画像群であると、後側の基本パターンの最初の画像群は前記第１画像群であることを特徴とする請求項１から８のいずれか１項に記載の画像形成装置。
【請求項１０】
前記第２間隔は、前記副走査方向と直交する主走査方向の所定位置における隣接する画像群間の距離であることを特徴とする請求項１から９のいずれか１項に記載の画像形成装置。
【請求項１１】
前記形成手段は、前記複数の基本パターンの隣接する２つの基本パターンの間に濃度検出パターンを形成し、
前記制御手段は、前記濃度検出パターンの検出結果に基づき濃度補正制御を行うことを特徴とする請求項１から１０のいずれか１項に記載の画像形成装置。
【請求項１２】
回転駆動される像担持体に検出パターンを形成する形成手段と、
前記検出パターンを検出する検出手段と、
前記検出手段による前記検出パターンの検出結果に基づき色ずれ補正制御を行う制御手段と、
を備えており、
前記検出パターンは１つ以上の基本パターンを含み、
前記基本パターンは、前記像担持体の回転方向である副走査方向に沿って所定間隔で配置されたＮ個の画像群（Ｎは３以上の整数）を含み、
前記Ｎ個の画像群は、前記副走査方向に対して第１角度の画像を含む第１画像群と、前記副走査方向に対して前記第１角度とは異なる第２角度の画像を含む第２画像群と、を前記副走査方向に沿って交互に配置したものであり、
前記所定間隔は、前記形成手段に含まれる回転部材の回転周期に対応する第１周期の（Ｎ−１）分の１の期間に前記像担持体の表面が移動する距離に対応し、
前記制御手段は、前記基本パターンの隣接する前記第１画像群と前記第２画像群の（Ｎ−１）個の組それぞれについて、前記検出手段による第１画像群と第２画像群の検出結果に基づく色ずれ量を求め、前記１つ以上の基本パターンの（Ｎ−１）個の組の色ずれ量を平均化した値に基づき前記色ずれ補正制御を行うことを特徴とする画像形成装置。
【請求項１３】
前記形成手段は、感光体にトナー像を形成し、前記感光体のトナー像を前記像担持体に転写することで、前記像担持体に前記検出パターンを形成し、
前記回転部材は、前記感光体又は前記感光体を駆動するモータであることを特徴とする請求項１２に記載の画像形成装置。
【請求項１４】
回転駆動される像担持体に検出パターンを形成する形成手段と、
前記検出パターンを検出する検出手段と、
前記検出手段による前記検出パターンの検出結果に基づき色ずれ補正制御を行う制御手段と、
を備えており、
前記検出パターンは、前記像担持体の回転方向である副走査方向に沿って第１間隔で配置された複数の基本パターンを含み、
前記複数の基本パターンのそれぞれは、前記副走査方向に沿って第２間隔で配置されたＮ個の画像群（Ｎは３以上の整数）を含み、
第ｋ画像群（ｋは１からＮの整数）は、前記副走査方向に対して第ｋ角度の画像を含み、
第ｉ角度（ｉは２からＮ−１の整数）は、第（ｉ−１）角度と第（ｉ＋１）角度とは異なる角度であり、
前記第１間隔は、前記形成手段に含まれる回転部材の回転周期に対応する第１周期のＭ（Ｍは２以上の整数）倍の期間に前記像担持体の表面が移動する距離に対応し、
前記第２間隔は、前記第１周期の（Ｎ−１）分の１の期間に前記像担持体の表面が移動する距離に対応することを特徴とする画像形成装置。
【請求項１５】
前記複数の基本パターンのうちの前記副走査方向において隣接する２つの基本パターンの前側の基本パターンの最初の画像群の角度と、後側の基本パターンの最初の画像群の角度は異なることを特徴とする請求項１４に記載の画像形成装置。
【請求項１６】
回転駆動される像担持体に検出パターンを形成する形成手段と、
前記検出パターンを検出する検出手段と、
前記検出手段による前記検出パターンの検出結果に基づき色ずれ補正制御を行う制御手段と、
を備えており、
前記検出パターンは１つ以上の基本パターンを含み、
前記１つ以上の基本パターンのそれぞれは、副走査方向に沿って所定間隔で配置されたＮ個の画像群（Ｎは３以上の整数）を含み、
第ｋ画像群（ｋは１からＮの整数）は、前記副走査方向に対して第ｋ角度の画像を含み、
第ｉ角度（ｉは２からＮ−１の整数）は、第（ｉ−１）角度と第（ｉ＋１）角度とは異なる角度であり、
前記所定間隔は、前記形成手段に含まれる回転部材の回転周期に対応する第１周期の（Ｎ−１）分の１の期間に前記像担持体の表面が移動する距離に対応し、
前記制御手段は、前記基本パターンの隣接する２つの画像群の（Ｎ−１）個の組それぞれについて、前記検出手段による画像群の検出結果に基づく色ずれ量を求め、前記１つ以上の基本パターンの（Ｎ−１）個の組の色ずれ量を平均化した値に基づき前記色ずれ補正制御を行うことを特徴とする画像形成装置。